(57)【要約】【課題】直ぐに消化器の画像をイメージプロセッサに送信するとともに医療のために画像をディスプレイに表示するカプセル内視鏡システムを提供する。【解決手段】カプセル内視鏡システム２００は、カプセル内視鏡２１０と、データレコーダ２２０と、イメージプロセッサ２３０とを具える。カプセル内視鏡２１０は第１送受信器２１２を有し、この場合、カプセル内視鏡２１０は、消化器の画像を取得するとともにその画像を画像データに変換するのに適合する。また、本発明のカプセル内視鏡システム２００は、イメージプロセッサ２３０に結合されたディスプレイ２４０を更に具え、それは、カプセル内視鏡２１０によって取得された消化器の画像を表示する。【選択図】図３
2005192701.tif 000002
【特許請求の範囲】
【請求項１】
消化器の画像を画像データに変換するとともにそのデータを送信するのに適合したカプセル内視鏡システムであって、
第１送受信器を有し、前記消化器の画像を取得するとともにその画像を画像データに変換するのに適合したカプセル内視鏡と、
第２送受信器、第３送受信器及びメモリを有し、これら第２及び第３送受信器を前記メモリに結合したデータレコーダと、
前記カプセル内視鏡の第１送受信器が前記画像データを前記データレコーダの第２送受信器に送信し、それが、前記メモリに格納されるとともに前記第３送受信器によって送信されるイメージプロセッサとを具えることを特徴とするカプセル内視鏡システム。
【請求項２】
前記第１及び第２送受信器間の伝送を連続的にしたことを特徴とする請求項１記載のカプセル内視鏡システム。
【請求項３】
前記データプロセッサ又は前記イメージプロセッサに配置されたトリガを更に具えることを特徴とする請求項１記載のカプセル内視鏡システム。
【請求項４】
前記イメージプロセッサが、前記第３送受信器から送信された画像データを受信するのに適合した第４送受信器を有することを特徴とする請求項３記載のカプセル内視鏡システム。
【請求項５】
前記第３及び第４送受信器間の伝送を連続的にしたことを特徴とする請求項４記載のカプセル内視鏡システム。
【請求項６】
前記イメージプロセッサに結合され、前記消化器の画像を表示するディスプレイを更に具えることを特徴とする請求項１記載のカプセル内視鏡システム。
【請求項７】
消化器の画像を画像データに変換するとともにそのデータを送信するのに適合したカプセル内視鏡システムであって、
第１送受信器を有し、前記消化器の画像を取得するとともにその画像を画像データに変換するのに適合したカプセル内視鏡と、
第２送受信器、第３送受信器及びメモリを有し、これら第２及び第３送受信器を前記メモリに結合したデータレコーダと、
第４送受信器と、
前記カプセル内視鏡の第１送受信器が前記画像データを前記データレコーダの第２送受信器に送信し、それが、前記メモリに格納されるとともに前記第３送受信器によって送信され、前記第３送受信器によって前記第４送受信器にも送信されるイメージプロセッサとを具えることを特徴とするカプセル内視鏡システム。
【請求項８】
前記第１及び第２送受信器間の伝送を連続的にしたことを特徴とする請求項７記載のカプセル内視鏡システム。
【請求項９】
前記データプロセッサ又は前記イメージプロセッサに配置されたトリガを更に具えることを特徴とする請求項７記載のカプセル内視鏡システム。
【請求項１０】
前記第３及び第４送受信器間の伝送が前記トリガによってトリガされることを特徴とする請求項９記載のカプセル内視鏡システム。
【請求項１１】
前記イメージプロセッサに結合され、前記消化器の画像を表示するディスプレイを更に具えることを特徴とする請求項７記載のカプセル内視鏡システム。
【発明の詳細な説明】
【技術分野】
【０００１】
本発明は、カプセル内視鏡システムに関し、特に、消化器の画像を直接ディスプレイに送信するカプセル内視鏡システムに関する。
【背景技術】
【０００２】
血管病、消化器病及び癌は、人間の主な関心事である。従来、医療において消化器系を観察するために内視鏡が広く使用されていた。しかしながら、内視鏡は、小腸のような消化器系の画像を取得することができない。さらに悪いことには、患者は、医療中に快適と思わない。かかる問題を解決するために、カプセル内視鏡が産業上広く使用されていた。
【０００３】
図１、２は、従来のカプセル内視鏡の伝送形態である。図１、２を参照すると、カプセル内視鏡システム１００は、カプセル内視鏡１１０と、データレコーダ１２０と、イメージプロセッサ１３０と、ディスプレイ１４０とを具える。一般に、カプセル内視鏡１１０は、カプセルと、イメージセンサと、発光ダイオードと、Ａｇ２Ｏセルとを有する。従来のカプセル内視鏡システム１００において、カプセル内視鏡１１０は送信器１１２を有し、データレコーダ１２０は受信器１２２及びメモリ１２４を有する。
【０００４】
カプセル内視鏡１１０は、患者に飲み込まれた後、患者の消化器の画像を取得し、画像を送信器１１２を通じてデータレコーダ１２０の受信器１２２に送信する。その後、データが処理され、それがメモリ１２４に格納される。
【０００５】
図１、２を参照すると、データ送信及びその格納後、データレコーダ１２０はイメージプロセッサ１３０に結合される。イメージプロセッサ１３０は、医療用画像を表示するためにメモリ１２４からの画像データにアクセスする。
【０００６】
図１，２から、従来の方法は２段階を有する。第１段階において、カプセル内視鏡は、消化器の画像を取得し、送信し及び格納する。カプセル内視鏡が消化器に到達するのに約８時間を要するので、直ぐに画像を取得することができない。換言すれば、従来のカプセル内視鏡システムは、第１段階が終了するまで画像データをイメージプロセッサ１３０に出力することができない。第１段階終了後、画像データをディスプレイ１４０に表示することができる。
【発明の開示】
【発明が解決しようとする課題】
【０００７】
したがって、本発明の目的は、直ぐに消化器の画像をイメージプロセッサに送信するとともに医療のために画像をディスプレイに表示するカプセル内視鏡システムを提供することである。
【０００８】
本発明の他の目的は、データレコーダ又はそのイメージプロセッサによってトリガをかけられた送受信器を通じて直ぐに消化器の画像をイメージプロセッサに送信するカプセル内視鏡システムを提供することである。
【課題を解決するための手段】
【０００９】
上記目的を達成するために、本発明は、消化器の画像を画像データに変換するとともにそのデータを送信するのに適合し、カプセル内視鏡、データでコーダ及びイメージプロセッサを具えるカプセル内視鏡システムを開示する。カプセル内視鏡は第１送受信器を有し、この場合、カプセル内視鏡は、消化器の画像を取得するとともにその画像を画像データに変換するのに適合している。データレコーダは、第２送受信器、第３送受信器及びメモリを有し、第２及び第３送受信器はメモリに結合される。特に、カプセル内視鏡の第１送受信器は、画像データをデータレコーダの第２送受信器に送信し、それは、メモリに格納されるとともに、第３送受信器によってイメージプロセッサに送信される。さらに、イメージプロセッサは、第３送受信器から画像データを受信するのに適合した第４送受信器を更に具える。
【００１０】
上記目的を達成するために、本発明は、消化器の画像を画像データに変換するとともにそのデータを送信するのに適合し、カプセル内視鏡、データでコーダ、第４送受信器及び第４送受信器に結合したイメージプロセッサを具えるカプセル内視鏡システムを開示する。カプセル内視鏡は第１送受信器を有し、この場合、カプセル内視鏡は、消化器の画像を取得するとともにその画像を画像データに変換するのに適合している。データレコーダは、第２送受信器、第３送受信器及びメモリを有し、第２及び第３送受信器はメモリに結合される。特に、カプセル内視鏡の第１送受信器は、画像データをデータレコーダの第２送受信器に送信し、それは、メモリに格納されるとともに、第３送受信器によって第４送受信器及びイメージプロセッサに送信される。
【発明の効果】
【００１１】
本発明の好適なカプセル内視鏡システムによれば、第１及び第２送受信器間の伝送が連続的である。
【００１２】
本発明の好適なカプセル内視鏡システムによれば、システムは、データレコーダ又はイメージプロセッサに配置されたトリガを具える。
【００１３】
本発明の好適なカプセル内視鏡システムによれば、第３及び第４送受信器間の伝送がトリガによってトリガをかけられる。
【００１４】
本発明の好適なカプセル内視鏡システムによれば、システムは、イメージプロセッサに結合されて消化器の画像を表示するディスプレイを更に具える。
【００１５】
本発明のカプセル内視鏡システムにおいて、消化器の画像は第３送受信器から第４送受信器に送信される。プロセッサの処理後、消化器の画像を医療のために表示することができる。
【発明を実施するための最良の形態】
【００１６】
図３は、本発明の好適なカプセル内視鏡システムの画像データ伝送を示す形態である。図３を参照すると、カプセル内視鏡システム２００は、消化器の画像を画像データに変換するとともにデータを送信するのに適合する。以下、カプセル内視鏡システム２００を説明する。
【００１７】
図３を参照すると、カプセル内視鏡システム２００は、カプセル内視鏡２１０と、データレコーダ２２０と、イメージプロセッサ２３０とを具える。カプセル内視鏡２１０は第１送受信器２１２を有し、この場合、カプセル内視鏡２１０は、消化器の画像を取得するとともにその画像を画像データに変換するのに適合する。また、本発明のカプセル内視鏡システム２００は、イメージプロセッサ２３０に結合されたディスプレイ２４０を更に具え、それは、カプセル内視鏡２１０によって取得された消化器の画像を表示する。カプセル内視鏡２１０を、例えば、（イスラエル製の）ＭＩＡカプセル内視鏡とすることができ、それは、３０ｍｍ＊１１ｍｍスペースに発光ダイオードと、イメージセンサと、Ａｇ２Ｏセルと、送受信器とを具える。カプセル内視鏡２１０は、例えば、１秒ごとに２画像を取得する。当然、カプセル内視鏡を、他の任意のカプセル内視鏡とすることができる。
【００１８】
データレコーダ２２０は、第２送受信器２２２と、第３送受信器２２４と、メモリ２２６とを有し、第２及び第３送受信器２２２，２２４はそれぞれ、メモリ２２６に結合される。特に、カプセル内視鏡２１０の第１送受信器２１２は、画像データをデータレコーダ２２０の第２送受信器２２２に送信する。本実施の形態において、第１及び第２送受信器２１２，２２２間の伝送はそれぞれ連続的である。第２送受信器２２２によって受信された画像データは、メモリ２２６に格納され、第３送受信器２２４によってイメージプロセッサ２３０に送信される。
【００１９】
本実施の形態において、イメージプロセッサ２３０は、例えば、画像データを第３送受信器２２４から受信するのに適合した第４送受信器２４０を具える。当然、イメージプロセッサ２３０は、例えば、第４送受信器２３２からの画像データを格納するメモリ２３４を具える。特に、伝送時間を短くするために、第３及び第４送受信器２２４，２３２間でそれぞれ高速伝送を適用するのが好適である。
【００２０】
図３を参照すると、本実施の形態のカプセル内視鏡システム２００はトリガ２６０を更に具え、それは、信号送信し又は第３及び第４送受信器２２４，２３２間の送信にトリガをかけるよう命令するのに適合している。換言すれば、第３及び第４送受信器２２４，２３２間の伝送はそれぞれ、トリガ２６０によってトリガがかけられる。さらに、トリガ２６０は、例えば、データレコーダ２２０又はイメージプロセッサ２３０内に配置される。当然、トリガ２６０を、カプセル内視鏡システム２００の他の位置に配置することもできる。
【００２１】
図４は、本発明の他の好適なカプセル内視鏡システムの画像データ伝送を示す形態である。図３及び４を比較すると、第２の実施の形態は第１の実施の形態に類似する。これらの差は、第４送受信器２５０がイメージプロセッサ２３０の外側にあるとともにそれに結合されていることである。
【００２２】
本実施の形態において、第４送受信器２５０は、第３送受信器２２４から画像データを受信する役割を果たし、受信した画像データは、イメージプロセッサ２３０のメモリ２３４に格納される。
【００２３】
したがって、本発明のカプセル内視鏡システムは、以下の利点を有する。
１．本発明のカプセル内視鏡システムは、医療のために直ぐに消化器の画像を表示する。
２・本発明のカプセル内視鏡システムにおいて、消化器の画像は、第３送受信器から第４送受信器に送信される。プロセッサの処理後、消化器の画像を医療のために表示することができる。
【００２４】
本発明は、上記実施の形態に限定されるものではなく、幾多の変更及び変形が可能である。
【図面の簡単な説明】
【００２５】
【図１】従来のカプセル内視鏡システムの伝送形態である。
【図２】従来のカプセル内視鏡システムの伝送形態である。
【図３】本発明の好適なカプセル内視鏡システムの画像データ伝送を示す形態である。
【図４】本発明の他の好適なカプセル内視鏡システムの画像データ伝送を示す形態である。
【図１】
2005192701.tif 000003
【図２】
2005192701.tif 000004
【図３】
2005192701.tif 000005
【図４】
2005192701.tif 000006
【外国語明細書】
Title of Invention
2005192701.tif 000007
2005192701.tif 000008
2005192701.tif 000009
2005192701.tif 000010
2005192701.tif 000011
2005192701.tif 000012
2005192701.tif 000013
2005192701.tif 000014
2005192701.tif 000015
2005192701.tif 000016
2005192701.tif 000017
ＦＩＧ．１
2005192701.tif 000018
ＦＩＧ．２
2005192701.tif 000019
ＦＩＧ．３
2005192701.tif 000020
ＦＩＧ．４
2005192701.tif 000021